(57)【要約】【課題】作業スペースを広く確保できるとともに、操作性向上および客との対面性向上を図ることができる商品販売データ処理装置を提供することである。【解決手段】実施形態の商品販売データ処理装置は、商品販売データ処理を行う制御部と、平坦部を含む上面を有し、前記制御部を収納する筐体と、前記制御部と通信可能に接続される操作表示部と、前記操作表示部を前記筐体の上面から突出させて保持する保持部と、を備える。【選択図】図１
2015052930.tif 000002
【特許請求の範囲】
【請求項１】
商品販売データ処理を行う制御部と、
平坦部を含む上面を有し、前記制御部を収納する筐体と、
前記制御部と通信可能に接続される操作表示部と、
前記操作表示部を前記筐体の上面から突出させて保持する保持部と、
を備えた商品販売データ処理装置。
【請求項２】
前記保持部は、
前記筐体の上面と同じ高さの上面を有し、側面が前記筐体の左右いずれの側面に対しても連結可能に設けられた壁部と、
前記壁部の上面に支持され、前記操作表示部を保持する保持具と、
を備えた請求項１に記載の商品販売データ処理装置。
【請求項３】
前記壁部の上面は複数の穴を有し、
前記保持具は前記複数の穴のうちいずれか１つに差し込まれて支持される、請求項２に記載の商品販売データ処理装置。
【請求項４】
前記壁部の上面は溝を有し、
前記保持具は前記溝に嵌め込まれて支持されるとともに、当該溝に沿ってスライド可能である、請求項２または３に記載の商品販売データ処理装置。
【請求項５】
前記筐体の上部に、当該筐体の一側面側から金銭の出し入れが可能なドロワと、前記一側面側に向けてレシートを排出する排出口とを備え、
前記一側面側とは反対側の前記筐体の上面に、客用の操作表示部を備えた、請求項１ないし４に記載の商品販売データ処理装置。
【発明の詳細な説明】
【技術分野】
【０００１】
本発明の実施形態は、商品販売データ処理装置に関する。
【背景技術】
【０００２】
コンビニエンスストア等の小売店舗では、チェックアウトコーナーのコンパクト化と、接客性の向上とが望まれている。このような店舗では、ＰＯＳ（Point  Of  Sales：販売時点管理）装置を対面式カウンタの片側に寄せて、カウンタの中央部分を荷詰め等の作業スペースとして確保している。また、この作業スペースは各種申し込み用紙や伝票を記入したり、カタログを広げたりするためのスペースとしても用いられる。加えて、チェックアウトコーナーには商品が陳列販売されたり、食品用の保温容器が設置されたりする場合もある。
【０００３】
従って、作業スペースを広く確保して利便性向上を図りたい一方で、会計処理の作業効率は保って操作性の良いチェックアウトコーナーとしたいという要望がある。くわえて、上述のように商品が陳列されたり商品ケースが設置されたりする場合であっても、客と店員との対面性向上を図りたいという要望がある。
【発明の概要】
【発明が解決しようとする課題】
【０００４】
本発明が解決しようとする課題は、作業スペースを広く確保できるとともに、操作性向上および客との対面性向上を図ることができる商品販売データ処理装置を提供することである。
【課題を解決するための手段】
【０００５】
実施形態の商品販売データ処理装置は、商品販売データ処理を行う制御部と、平坦部を含む上面を有し、前記制御部を収納する筐体と、前記制御部と通信可能に接続される操作表示部と、前記操作表示部を前記筐体の上面から突出させて保持する保持部と、を備える。
【図面の簡単な説明】
【０００６】
【図１】図１は、本実施形態にかかる商品販売ユニットを示す外観斜視図である。
【図２】図２は、制御部と操作表示部との結線例を示す模式図である。
【図３】図３は、制御部のその他の収納場所について示す概略図である。
【発明を実施するための形態】
【０００７】
図１は、本実施形態にかかる商品販売ユニット１の構成を示す外観斜視図である。商品販売ユニット１は、商品販売データ処理装置の一例としてのＰＯＳ装置２と、カウンタ３とを備えている。
【０００８】
ＰＯＳ装置２は、制御部５０を収納する筐体４と、筐体４の左右側面に連結された壁部５ａ、５ｂとを備えている。尚、図１では筐体４の左右両側に壁部５ａ、５ｂを連結した構成を示したが、筐体４の左右いずれかの側面に壁部５ａ、５ｂのいずれか一方を備える構成としてもよい。
【０００９】
ＰＯＳ装置２の筐体４と、壁部５ａと、壁部５ｂと、カウンタ３とは、各部の左右側面に設けられた連結具（不図示）でそれぞれ連結および脱着可能に構成されている。連結する際のレイアウトは変更自在であり、図１に示す並び順に限られない。例えば、ＰＯＳ装置２の右側にカウンタ３を連結してもよい。また、カウンタ３の左側に壁部５ａまたは壁部５ｂを連結してもよい。
【００１０】
筐体４の上面４０およびカウンタ３において、上面３０の中央部は平坦な面となっている。筐体４の上面４０と、カウンタ３の上面３０と、壁部５ａの上面および壁部５ｂの上面とは、連結時に高さが揃うよう設けられている。また、各上面において他の上面と連結する端部（辺）は、小銭や紙幣等が引っ掛かるような溝ができないよう構成されている。そして、各部を連結すると、上記各部の上面が全体として商品販売ユニット１の上面として機能し、広い平坦部分を有する作業スペースを確保することができる。
【００１１】
また、筐体４の上面４０の客側（図１奥側）の端部には、客用表示部４１、金銭授受用の凹部４２が設けられている。客用表示部４１としては、表面にタッチパネルを配設した液晶パネル等を用いることができる。客用表示部４１の上面は筐体４の上面４０と平坦な同一面を為すように形成され、客用表示部４１の上面も作業スペースとして利用することができる。尚、金銭授受用の凹部４２は、作業スペースを広く取れるよう上面４０の端部側に寄せて形成されている。
【００１２】
従来のＰＯＳ装置では、カウンタ上の任意の場所に金銭が置かれる場合が多い。従って、置かれた金銭に気づきにくい、または、作業効率が悪いといった課題があった。本実施形態のＰＯＳ装置２は、上述のように凹部４２を設けたことにより、金銭を置く場所を客に示唆し、会計作業をスムーズに行えるようにしている。
【００１３】
客用表示部４１は、図１に示すように筐体４の上面４０に沿って設けられ、その表示面は上方を向けて設けられている。これにより、後ろに並んでいる他の客に対して表示画面を見えにくくすることができる。従って、購入商品名、購入価格等、客のプライバシーに関わる情報を守り易い。
【００１４】
カウンタ３の上面３０の客側の端部にも、客用表示部３１と、金銭授受用の凹部３２とが設けられている。客用表示部３１および凹部３２の構成は、客用表示部４１および凹部４２の構成と同様である。カウンタ３は、荷詰め作業、カタログ閲覧や伝票記入などに用いることができる。客用表示部３１は制御部５０に電気的に接続されており、制御部５０の制御により電子カタログや各種受付画面を表示したり、客への販促情報等を表示したりする。
【００１５】
ＰＯＳ装置２は、操作表示部１０を備えている。操作表示部１０は、店員用表示部１１と、テンキーや締めキー等の操作キーを有する操作パネル１２と、ハンディスキャナ１３と、ハンディスキャナ１３を保持するスキャナ受け具１４とを主に備えている。店員用表示部１１の構成は特に限定されないが、表面にタッチパネルを配設した液晶パネル等を用いることができる。店員用表示部１１と、操作パネル１２と、スキャナ受け具１４とは一体化され、ポール状の保持具１５によって保持されている。
【００１６】
壁部５ａ、５ｂの上面は中央近傍が平坦となっており、保持具１５を差し込む穴６が複数設けられている。ユーザは、商品販売ユニット１周りのレイアウトや、商品販売ユニット１自体のレイアウト、オペレータ（キャッシャ）の利き手や体型等に合わせて、保持具１５を差し込む穴６を選択し、好みの位置に操作表示部１０を保持することができる。
【００１７】
このように保持具１５の位置を変更可能としたことにより、レイアウト変更時やオペレータ変更時に操作表示部１０の位置を変更および調整することができる。従って、レイアウト変更時やオペレータ変更時において、ＰＯＳ装置２の操作性を向上することができる。
【００１８】
尚、保持具１５を壁部５ａ、５ｂの上面に保持する方法は特に限定されない。保持具１５はポール状ではなく角型棒状であってもよい。また、穴６を複数設けるのではなく、壁部５ａ、５ｂの上面にスライド溝を設け、保持具１５を奥行き方向にスライド可能に構成してもよい。また、保持具１５の高さについても変更可能に構成してよい。
【００１９】
筐体４の上部であって店員側（図１手前側）の側面、即ち、客用表示部４１と反対側の側面には、カードリーダライタの差込口４３と、排紙口４４とが設けられている。筐体４内部に設置されたプリンタ（不図示）は、制御部５０の制御に基づいてレシートＲ等を印刷し、印刷したレシートＲ等を排紙口４４から排出する。排紙口４４の隣には、金銭を収納するドロワ４５が設けられている。このように排紙口４４とドロワ４５とが隣接して設けられているので、ドロワ４５から釣銭を取り出して、レシートＲとともに客に手渡す作業をスムーズに行うことができる。
【００２０】
また、筐体４の内部にはＰＯＳ装置２のシステム制御を行う制御部５０が収納されている。制御部５０は、操作表示部１０、客用表示部４１、上述のプリンタおよびカードリーダライタ（ともに不図示）、ドロワ４５等の動作を制御する。例えば、制御部５０はハンディスキャナ１３が読み取った商品コードに基づいて店員用表示部１１および客用表示部４１に商品情報を表示する。また、制御部５０は、操作パネル１２において選択操作された操作キーに対応する各種処理を行う。一例として、操作表示部１０の操作パネル１２において締めキーが選択操作された場合に、制御部５０はドロワ４５を開く制御を行う。
【００２１】
筐体４のドロワ４５側の下部にはラック４６が複数段設けられ、物品を収納可能に構成されている。カウンタ３も同様に、客用表示部３１と反対側の側面にラック３６を複数段備えている。
【００２２】
本実施形態では、制御部５０、ドロワ４５、プリンタ、カードリーダが筐体４内部に収納され、操作表示部１０は筐体４の上面４０から突出させて保持される。従って、上面４０が制御部５０や操作表示部１０等によって占有されない分、作業スペースとして広く利用できる。くわえて、操作表示部１０が突出保持されることでオペレータの視線を上げることができるため、ＰＯＳ装置２の操作性向上ならびに接客品質向上を図り易い。
【００２３】
次に、制御部５０と操作表示部１０との好適な結線例について説明する。当該結線は特に限定されないが、好適な実施形態としては保持具１５を差し込む穴６を変えて操作表示部１０の保持位置を変えた場合にも、簡便に電気的接続が為される構成が好ましい。さらに好ましくは、ＰＯＳ装置２、カウンタ３、壁部５ａ、５ｂのレイアウトを変更した場合にも簡便に電気的接続が為される構成であるとよい。
【００２４】
図２は、制御部５０と操作表示部１０との結線例を示す模式図である。壁部５ａ、５ｂの穴６の底部には、保持具１５が差し込まれた場合に操作表示部１０の下端部に設けられたコネクタと電気的に接合するコネクタ６１がそれぞれ設けられている。そして、壁部５ａ、５ｂの左右側面には、通信用インタフェースにより各穴６底部のコネクタ６１と接続されたコネクタ６７が設けられている。
【００２５】
一方、筐体４の左右側面には、通信用インタフェースにより制御部５０側のコネクタ４８と接続されたコネクタ４７が設けられている。そして、筐体４側のコネクタ４７は、壁部５ａ、５ｂが筐体４の左右どちら側に配置された場合でも、隣接する壁部５ａ、５ｂのコネクタ６７と電気的接続可能な位置に設けられている。
【００２６】
従って、操作表示部１０をいずれの穴６に差し込んだ場合でも、操作表示部１０と制御部５０とをワンタッチで接続することができ、操作表示部１０の配置場所を簡便に変更することができる。また、筐体４、壁部５ａ、５ｂ、カウンタ３をどのようにレイアウトした場合であっても、操作表示部１０と制御部５０とを簡便に接続することができるので、商品販売ユニット１のレイアウトを簡便に変更することができる。
【００２７】
尚、カウンタ３の客用表示部３１と制御部５０との電気的接続についても、上述と同様の構成とし、ＰＯＳ装置２とカウンタ３との配置を変更する場合に簡単に電気的接続をとれるように構成してもよい。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００２９】
例えば、上述では壁部５ａ、５ｂの上面に操作表示部１０を保持する構成としたが、実施形態はこれに限定されない。筐体４の上面４０に複数の穴もしくはスライド溝を設けて保持具１５を支持し、操作表示部１０を筐体４の上面４０から突出させて保持してもよい。
【００３０】
また、上述では、商品販売ユニット１がＰＯＳ装置２とカウンタ３を１つずつ備える構成について示したが、商品販売ユニット１は複数のＰＯＳ装置２を備えてもよいし、複数のカウンタ３を備えてもよい。また、壁部５ａ、５ｂの個数についても特に限定されない。商品販売ユニット１は壁部５ａ、５ｂのいずれか一方を備えてもよいし、２つ以上の壁部を備えてもよい。また、各部の左右方向の並び順についても、特に限定されるものではない。
【００３１】
また、上述では、ＰＯＳ装置２の筐体４内に制御部５０を収納する例について示したが、制御部５０の収納場所はこれに限定されない。図３は、制御部５０のその他の収納場所について示す概略図である。図３に示すように、壁部５ａ、５ｂのいずれか一方に制御部５０を収納する形態としてもよい。これにより、ラック４６として利用できるスペースを増やすことができる。この場合には、制御部５０を収納した壁部５ａまたは壁部５ｂがＰＯＳ装置２の筐体として機能する。従って、当該形態においても図１に示す形態と同様に、操作表示部１０は平坦部を含む筐体上面から突出して保持される。これにより、上述と同様に、作業スペースを広く確保できるとともに、ＰＯＳ装置２の操作性向上も図ることができる。
【００３２】
以上のように、本実施形態のＰＯＳ装置２は、保持具１５により操作表示部１０を筐体４の上面４０から突出させて保持する。従って、作業スペースを広く確保できるとともに、ＰＯＳ装置２の操作性向上および客との対面性向上を図ることができる。
【符号の説明】
【００３３】
１…商品販売ユニット、２…ＰＯＳ装置、３…カウンタ、４…筐体、５ａ、５ｂ…壁部、６…穴、１０…操作表示部、１１…店員用表示部、１２…操作パネル、１３…ハンディスキャナ、１４…スキャナ受け具、１５…保持具、３０、４０…上面、３１、４１…客用表示部、３２、４２…凹部、４３…差込口、４４…排紙口、４５…ドロワ、４６…ラック、４７、４８、６１、６７…コネクタ、５０…制御部、Ｒ…レシート。
【先行技術文献】
【特許文献】
【００３４】
【特許文献１】特開平３−１２３９９１号公報
【図１】
2015052930.tif 000003
【図２】
2015052930.tif 000004
【図３】
2015052930.tif 000005